(57)【要約】【課題】茸類栽培室内の空気の流れを少なくして茸類の生育に適した環境状態を維持することが可能な茸類栽培用ハウスの提供。【解決手段】外気を取り入れて温度を一定に調整する温度調整室２０と、温度調整室２０内の温度調整済みの空気を送り込み、湿度を調整して茸類を栽培する茸類栽培室１０とを有し、茸類栽培室１０内の空間に対して直接空調を行うことなく、外気を一旦温度調整室２０内に取り入れて温度を一定に調整した後、この温度調整室２０内の空気を茸類栽培室１０内に送り込む。【選択図】図１
2013094077.tif 000002
【特許請求の範囲】
【請求項１】
外気を取り入れて温度を一定に調整する温度調整室と、
前記温度調整室内の温度調整済みの空気を送り込み、湿度を調整して茸類を栽培する茸類栽培室と
を有する茸類栽培用ハウス。
【請求項２】
前記温度調整室から前記茸類栽培室への温度調整済みの空気の送り込みは、間欠的に行われることを特徴とする請求項１記載の茸類栽培用ハウス。
【請求項３】
前記温度調整室および前記茸類栽培室は、断熱材により覆われたものである請求項１または２に記載の茸類栽培用ハウス。
【請求項４】
前記温度調節室に、外気を取り入れるための外気取入口を有し、
前記外気取入口と前記空気の送り込み口との間に前記外気が前記空気の送り込み口に直接流入するのを防止する防風ネットを有する請求項１から３のいずれかに記載の茸類栽培用ハウス。
【請求項５】
前記温度調整室から前記茸類栽培室内への空気の送り込み口は、前記茸類栽培室内で栽培される茸類よりも高い位置に設けられたものである請求項１から４のいずれかに記載の茸類栽培用ハウス。
【請求項６】
前記茸類栽培室内に前記茸類栽培室内で栽培される茸類よりも高い位置に加湿器を有する請求項１から５のいずれかに記載の茸類栽培用ハウス。
【発明の詳細な説明】
【技術分野】
【０００１】
本発明は、年間を通じて茸類を栽培することが可能な茸類栽培用ハウスに関する。
【背景技術】
【０００２】
椎茸、エリンギ、ナメコ、舞茸や木耳等の茸類の栽培は、林間地などを利用し、原木に菌を打ち込んで発生させる方法（原木栽培）が一般的である。しかしながら、この方法では、気象の影響を直接受けるため、気候の変動によって、収量や品質等に影響が出やすく、収穫が安定していない。また、近年では、ビニールハウスを利用して外気温の伝達を緩和することにより、外気温の影響を受けにくくする試みもなされている。
【０００３】
ところが、薄いビニール等の被覆体で周囲を被覆するだけでは、外気温を完全に遮断することはできず、外気温の変化に応じてハウス内の温度も変化してしまう。ハウスにおいては、室内の温度および湿度が茸類の生育に大きな影響を及ぼすので、室内空間全体に亘って、生育に適した温度および湿度を維持しておく必要がある。
【０００４】
このため、一般にこの種のハウスでは、室内冷房用の空調機、暖房用のボイラ、加湿用の噴霧器、換気用の換気扇が備えられ、これら各機器の運転状態を適宜組み合わせることで室内空間を茸類の生育に適した環境状態に維持している（例えば、特許文献１，２参照。）。また、ハウスの室内空間が気象の影響を受けないように、ハウスの外皮を防水シートにより形成し、その内側に断熱材を固着させたものもある（例えば、特許文献３参照。）。
【先行技術文献】
【特許文献】
【０００５】
【特許文献１】特開平６−２１７６３９号公報
【特許文献２】特開平９−２１０４３５号公報
【特許文献３】特開平８−２２８６０８号公報
【発明の概要】
【発明が解決しようとする課題】
【０００６】
上記従来のハウスでは、茸類の生育に適した環境状態に維持するため、茸類栽培室内の空間に対して直接空調を行っている。しかしながら、このように茸類栽培室内の空間に対して直接空調を行う場合、常時空調を行う必要があるため、空間内の空気は常に動き続けており、茸類栽培室内には常時風が吹いているような状態となる。このような空気の流れは、茸類の生育に悪影響を及ぼしてしまうという問題がある。
【０００７】
そこで、本発明においては、茸類栽培室内の空気の流れを少なくして茸類の生育に適した環境状態を維持することが可能な茸類栽培用ハウスを提供することを目的とする。
【課題を解決するための手段】
【０００８】
本発明の茸類栽培用ハウスは、外気を取り入れて温度を一定に調整する温度調整室と、温度調整室内の温度調整済みの空気を送り込み、湿度を調整して茸類を栽培する茸類栽培室とを有するものである。本発明の茸類栽培用ハウスによれば、茸類栽培室内の空間に対して直接空調を行うことなく、外気を温度調整室内に取り入れて温度を一定に調整しておき、この温度調整室内の温度調整済み空気を茸類栽培室内に適宜送り込む。すなわち、本発明の茸類栽培用ハウスでは、空調による空気の流れは温度調整室内でのみ発生し、茸類栽培室内には温度調整済み空気が適宜送り込まれるだけであるため、茸類栽培室内の空気の流れが非常に少なくなり、茸類の生育に適した環境状態を維持することが可能となる。また、外気が冷たい場合には温度調整時に結露が発生する可能性があるが、本発明の茸類栽培用ハウスでは、温度調整室内で温度を一定に調整し、温度調整済みの空気を茸類栽培室内へと送り込むため、茸類栽培室内での結露の発生を防止することができる。
【０００９】
ここで、温度調整室および茸類栽培室は、断熱材により覆われたものであることが望ましい。これにより、温度調整室内での温度の調整、ならびに温度調整室から送り込んだ空気による茸類栽培室内での湿度の調整に外部環境の影響をなくすことができる。
【００１０】
また、本発明の茸類栽培用ハウスは、温度調整室に、外気を取り入れるための外気取入口を有し、外気取入口と空気の送り込み口との間に外気が空気の送り込み口に直接流入するのを防止する防風ネットを有することが望ましい。これにより、外気取入口と空気の送り込み口とが同時に開いた場合に、外気取入口から温度調整室内へ取り入れた外気が空気の送り込み口から茸類栽培室へ直接流入するのを防止することができ、茸類栽培室の環境が変化するのを防止することができる。
【００１１】
また、温度調整室から茸類栽培室内への空気の送り込み口は、茸類栽培室内で栽培される茸類よりも高い位置に設けられたものであることが望ましい。これにより、温度調整室から茸類栽培室内へ送り込まれる空気は、茸類栽培室内で栽培される茸類の上方へ流れるため、茸類栽培室内で栽培される茸類に影響するのを防止することが可能となる。
【００１２】
また、本発明の茸類栽培用ハウスは、茸類栽培室内に茸類栽培室内で栽培される茸類よりも高い位置に加湿器を有することが望ましい。これにより、温度調整室内で温度が一定に調整された空気を茸類栽培室内で茸類よりも高い位置で加湿して、茸類の生育に適した湿度へと調整し、下方の茸類へと均一に供給することができる。
【発明の効果】
【００１３】
（１）外気を取り入れて温度を一定に調整する温度調整室と、温度調整室内の温度調整済みの空気を送り込み、湿度を調整して茸類を栽培する茸類栽培室とを有することにより、茸類栽培室内の空気の流れを少なくして茸類の生育に適した環境状態を維持することが可能となるとともに、外気が冷たい場合であっても、茸類栽培室内での結露の発生を防止することができ、茸類を効率良く生育させて収穫量を増やすことが可能となる。
【００１４】
（２）温度調整室および茸類栽培室が断熱材により覆われたものであることにより、外部環境の影響をなくして温度調整室内での温度の調整および茸類栽培室内での湿度の調整を容易に行うことが可能となる。
【００１５】
（３）温度調整室に外気を取り入れるための外気取入口を有し、外気取入口と空気の送り込み口との間に外気が空気の送り込み口に直接流入するのを防止する防風ネットを有することにより、外気取入口と空気の送り込み口とが同時に開いた場合に、外気取入口から温度調整室内へ取り入れた外気が空気の送り込み口から茸類栽培室へ直接流入するのを防止し、茸類栽培室の環境変化を防止して、茸類の収穫量をさらに増やすことが可能となる。
【００１６】
（４）温度調整室から茸類栽培室内への空気の送り込み口が、茸類栽培室内で栽培される茸類よりも高い位置に設けられたものであることにより、温度調整室から茸類栽培室内へ送り込まれる空気は、茸類栽培室内で栽培される茸類の上方へ流れるため、茸類栽培室内で栽培される茸類に影響するのを防止することが可能となり、茸類の収穫量をより増やすことが可能となる。
【００１７】
（５）茸類栽培室内に茸類栽培室内で栽培される茸類よりも高い位置に加湿器を有することにより、温度調整室内で温度が一定に調整された空気を茸類栽培室内で茸類よりも高い位置で加湿して、茸類の生育に適した湿度へと調整し、下方の茸類へと均一に供給することができるので、さらに茸類の生育に適した環境状態を維持することが可能となり、茸類を効率良く生育させて収穫量を増やすことが可能となる。
【図面の簡単な説明】
【００１８】
【図１】本発明の実施の形態における茸類栽培用ハウスを示す図であって、（ａ）は横断面図、（ｂ）は正面図である。
【図２】図１の茸類栽培用ハウスの右側面図である。
【図３】図１のＡ−Ａ断面図である。
【発明を実施するための形態】
【００１９】
図１は本発明の実施の形態における茸類栽培用ハウスを示す図であって、（ａ）は横断面図、（ｂ）は正面図、図２は図１の茸類栽培用ハウスの右側面図、図３は図１のＡ−Ａ断面図である。
【００２０】
図１〜図３において、本発明の実施の形態における茸類栽培用ハウス１は、農ビ管（農業施設用鋼管）等の鋼管により形成されたトラス構造のフレーム２を、シート部材３によって覆ったものである。シート材３の表皮は太陽光による熱を反射するように白色コーティングされている。また、シート材３の内側は、断熱材としての吹き付け硬質ウレタンフォーム等の現場発泡断熱材４により覆われている。また、天井部には複数箇所にアクリル板による天窓５が設けられている。また、床面には、再生クラッシャーラン６が敷き詰められている。
【００２１】
また、図１（ａ）に示すように、茸類栽培用ハウス１内は、茸類を栽培する茸類栽培室１０と、外気を取り入れて温度を一定に調整する温度調整室２０とに区分されている。温度調整室２０は、茸類栽培室１０の長手方向両端面に接してそれぞれ配設されている。茸類栽培室１０と温度調整室２０との間には、前述のフレーム２とシート部材３によって、茸類栽培室１０と温度調整室２０とを仕切る壁１１が設けられている。この壁１１の茸類栽培室１０側の内面は、前述と同様の断熱材としての吹き付け硬質ウレタンフォーム等の現場発泡断熱材により覆われている。
【００２２】
茸類栽培室１０内には、茸類を栽培するための棚１２が複数配置されている。また、棚１２の上方には複数の遠心式加湿器１３が配置されている。また、茸類栽培室１０の室内壁面には、複数のシロッコファン１４が備えられている。シロッコファン１４は、遠心力で換気をする形式の換気扇（多翼ファン）である。シロッコファン１４の排気口は、茸類栽培室１０（茸類栽培ハウス１）の壁面を貫通して外部へ排気できるように配置されており、この貫通部には風圧式シャッター（図示せず。）が設けられている。また、この風圧式シャッターの外側には、貫通部が風雨に曝されないようにフード１５が設けられている。
【００２３】
温度調節室２０には、温度調節室２０内の温度を一定に調整するための空調設備を構成する室内機２１および冷凍機２２が設けられている。室内機２１は温度調節室２０の略中央の上部に設置され、冷凍機２２は温度調節室２０（茸類栽培用ハウス１）の外に設置されている。また、温度調節室２０の外側（茸類栽培用ハウス１）の壁面の上部には、外気を温度調節室２０内へ取り入れるための外気取入口２３が設けられている。この外気取入口２３には、外気取入口２３を開閉するインレットシャッター７（図２参照。）と有圧換気扇２４とが備えられている。
【００２４】
また、壁１１には、温度調節室１１内の空気を茸類栽培室１０内へ送り込むための空気送り込み口２５が設けられている。空気送り込み口２５は、壁１１の上部、すなわち茸類栽培室１０内で栽培される茸類よりも高い位置に設けられている。また、空気送り込み口２５には、有圧換気扇２６と風圧式シャッター（図示せず。）とが備えられている。また、壁１１の左右上部には、シャッター付き通風口２７が設けられている。また、温度調節室２０には、茸類栽培用ハウス１の外部から出入りするためのドア２８と、茸類栽培室１１へ出入りするためのドア２９とが設けられている。
【００２５】
また、温度調整室１１の上部には、外気取入口２３と空気送り込み口２５との間に防風ネット３０が設けられている。防風ネット３０は、外気取入口２３から取り入れられた外気が空気送り込み口２５に直接流入するのを防止するものである。
【００２６】
上記構成の茸類栽培用ハウス１では、外気は有圧換気扇２４により外気取入口２３から温度調節室２０内に一旦取り入れられ、温度調節室２０内にて空調設備（室内機２１および冷凍機２２）により温度が一定に調整される。そして、この温度調整室２０内温度調整済みの空気が、有圧換気扇２６により空気送り込み口２５から茸類栽培室１０内に適宜送り込まれる。茸類栽培室１０では、遠心式加湿器１３により加湿が行われて、茸類の生育に適した湿度に調整される。また、栽培される茸類により排出される二酸化炭素は、シロッコファン１４により茸類栽培用ハウス１外へと排出される。なお、空調設備による温度調整室２０内での温度調整は常時行われ、温度調整室２０から茸類栽培室１０への温度調整済みの空気の送り込みは、例えば２４時間の間に４〜１５回、１回につき１〜１５分間、間欠的に行われる。
【００２７】
すなわち、この茸類栽培用ハウス１では、茸類栽培室１０内の空間に対して直接空調を行うことなく、外気を一旦温度調整室２０内に取り入れて温度を一定に調整した後、この温度調整室２０内の温度調整済みの空気を茸類栽培室１０内に適宜送り込むので、空調設備による空気の流れは温度調整室２０内でのみ発生し、茸類栽培室１０内には温度調整済み空気が適宜送り込まれるだけである。そのため、茸類栽培室１０内の空気の流れが非常に少なくなり、茸類の生育に適した環境状態を維持することが可能である。また、外気が冷たい場合には温度調整時に結露が発生する可能性があるが、この茸類栽培用ハウス１では、温度調整室２０内で温度を一定に調整し、温度調整済みの空気を茸類栽培室１０内へと送り込むため、茸類栽培室１０内での結露の発生が防止されており、茸類の生育に悪影響を及ぼすことがない。したがって、本実施形態における茸類栽培用ハウス１では、茸類を効率良く生育させて収穫量を増やすことが可能である。
【００２８】
また、この茸類栽培用ハウス１では、防風ネット３０によって、外気取入口２３から取り入れられた外気が空気送り込み口２５に直接流入するのを防止しているため、外気取入口２３と空気送り込み口２５とが同時に開いた場合であっても、外気取入口２３から温度調整室２０内へ取り入れた外気が空気送り込み口２５から茸類栽培室１０へ直接流入することがなく、茸類栽培室１０の環境変化が防止されており、茸類の収穫量をさらに増やすことが可能である。
【００２９】
また、茸類栽培室１０内では、遠心式加湿器１３により茸類の生育に適した湿度まで加湿が行われるが、この遠心式加湿器１３は茸類栽培室１０内で栽培される茸類よりも高い位置に設けられている。そのため、温度調整室２０内で温度が一定に調整された空気を茸類よりも高い位置で加湿して、茸類の生育に適した湿度へと調整した後、下方の茸類へと均一に供給することができ、さらに茸類の生育に適した環境状態を維持することが可能であり、茸類を効率良く生育させて収穫量を増やすことが可能である。
【００３０】
また、この茸類栽培用ハウス１においては、温度調整室２０および茸類栽培室１０が、断熱材により覆われているため、温度調整室２０内での温度の調整、ならびに温度調整室２０から送り込んだ空気による茸類栽培室１０内での温度の調整に外部環境の影響をなくすことができ、温度調整室２０内および茸類栽培室１０内の温度の調整を容易に行うことが可能となっている。
【００３１】
また、この茸類栽培用ハウス１では、温度調整室２０から茸類栽培室１０内へ空気を送り込む空気送り込み口２５が、茸類栽培室１０内で栽培される茸類よりも高い位置に設けられているため、温度調整室２０から茸類栽培室１０内へ送り込まれる空気は、茸類栽培室１０内で栽培される茸類の上方へ流れる。そのため、茸類栽培室１０内で栽培される茸類に影響するのを防止することが可能となっており、茸類の収穫量をより増やすことが可能となっている。
【産業上の利用可能性】
【００３２】
本発明の茸類栽培用ハウスは、年間を通じて茸類を栽培するための人工栽培ハウスとして有用である。
【符号の説明】
【００３３】
１  茸類栽培用ハウス
２  フレーム
３  シート部材
４  現場発泡断熱材
５  天窓
６  再生クラッシャーラン
７  インレットシャッター
１０  茸類栽培室
１１  壁
１２  棚
１３  遠心式加湿器
１４  シロッコファン
１５  フード
２０  温度調整室
２１  室内機
２２  冷凍機
２３  外気取入口
２４，２６  有圧換気扇
２５  空気送り込み口
２７  シャッター付き通風口
２８，２９  ドア
３０  防風ネット
【図１】
2013094077.tif 000003
【図２】
2013094077.tif 000004
【図３】
2013094077.tif 000005